(57)【要約】【課題】より不都合が少なくなるよう改善された新規な構成の電子機器の筐体を得る。【解決手段】筐体２は、後壁２ｂ（第一壁）および内壁２１ａ（第二壁）に囲まれＸ方向（第一方向）に開放された収容部２ｒが設けられたリヤカバー２１（第一部材）と、収容部２ｒの少なくとも一部をＸ方向から覆う前壁２ａ（第三壁）および前壁２ａからＸ方向の反対方向に突出しＹ方向またはＺ方向（交差方向）に貫通する貫通孔２２ｂが設けられた中壁２２ａ（第四壁）を有したフロントカバー２２（第二部材）と、内壁２１ａのＸ方向の端面２１ｃと前壁２ａとの間に介在されたシール部材７と、サイドカバー２３（第三部材）と、を備え、内壁２１ａ（一方）には、貫通孔２２ｂと重なる開口部２１ｂが設けられ、サイドカバー２３（他方）には、シール部材７がＸ方向に圧縮された状態で貫通孔２２ｂおよび開口部２１ｂに挿入される係合ピン２３ｂ（軸部）が設けられる。【選択図】図１３
2020135752.tif 000002
【特許請求の範囲】
【請求項１】
第一壁と、前記第一壁から当該第一壁と交差した第一方向に突出した第二壁と、を有し、前記第一壁および前記第二壁に囲まれ前記第一方向に開放された収容部が設けられた第一部材と、
前記収容部の少なくとも一部を前記第一方向から覆う第三壁と、前記第三壁から前記第一方向の反対方向に突出し前記第一方向と交差した交差方向に貫通する貫通孔が設けられた第四壁と、を有した第二部材と、
前記第二壁の前記第一方向の端面と前記第三壁との間に介在されたシール部材と、
第三部材と、
を備え、
前記第二壁および前記第三部材のうち一方には、前記貫通孔と前記交差方向に重なる開口部が設けられ、
前記第二壁および前記第三部材のうち他方には、前記シール部材が前記第一方向に圧縮された状態で前記貫通孔および前記開口部に挿入される軸部が設けられた、
電子機器の筐体。
【請求項２】
前記第二壁には、互いに間隔をあけて複数の前記開口部が設けられ、
前記第三部材は、前記開口部のそれぞれに対応して設けられた複数の前記軸部と、前記軸部のそれぞれと接続され前記第二壁を前記収容部とは反対側から覆う第五壁と、を有した、請求項１に記載の電子機器の筐体。
【請求項３】
前記第三部材は、前記第五壁の前記軸部とずれた位置に設けられ、前記第二壁に前記収容部とは反対側から着脱可能に係合されるフック部を有した、請求項２に記載の電子機器の筐体。
【請求項４】
前記軸部には、前記第一方向の反対方向に向けて開放され、前記シール部材の反力によって前記第四壁と係合される凹部が設けられた、請求項２または３に記載の電子機器の筐体。
【請求項５】
前記凹部に前記第四壁が係合された状態で、前記第四壁と前記第一壁との間に前記第一方向の隙間が設けられた、請求項４に記載の電子機器の筐体。
【請求項６】
前記第二壁は、当該第二壁から突出し、前記開口部の少なくとも一部が設けられた突出部を有した、請求項１〜５のうちいずれか一つに記載の電子機器の筐体。
【発明の詳細な説明】
【技術分野】
【０００１】
本発明は、電子機器の筐体に関する。
【背景技術】
【０００２】
従来、第一方向に開放された収容部が設けられた第一部材と、収容部を第一方向から覆う第二部材と、第一部材と第二部材との間に介在されたシール部材と、シール部材が圧縮された状態で第一方向の両側から第一部材および第二部材を挟持する第三部材と、を備えた電子機器の筐体が知られている（例えば、特許文献１参照）。
【先行技術文献】
【特許文献】
【０００３】
【特許文献１】特開２０１６−０１８９４４号公報
【発明の概要】
【発明が解決しようとする課題】
【０００４】
この種の電子機器の筐体では、例えば、より小型に構成できたり等、より不都合が少なくなるよう改善された新規な構成が得られれば、有益である。
【０００５】
そこで、本発明の課題の一つは、より不都合が少なくなるよう改善された新規な構成の電子機器の筐体を得ることである。
【課題を解決するための手段】
【０００６】
本発明の第一態様にかかる電子機器の筐体は、第一壁と、前記第一壁から当該第一壁と交差した第一方向に突出した第二壁と、を有し、前記第一壁および前記第二壁に囲まれ前記第一方向に開放された収容部が設けられた第一部材と、前記収容部の少なくとも一部を前記第一方向から覆う第三壁と、前記第三壁から前記第一方向の反対方向に突出し前記第一方向と交差した交差方向に貫通する貫通孔が設けられた第四壁と、を有した第二部材と、前記第二壁の前記第一方向の端面と前記第三壁との間に介在されたシール部材と、第三部材と、を備え、前記第二壁および前記第三部材のうち一方には、前記貫通孔と前記交差方向に重なる開口部が設けられ、前記第二壁および前記第三部材のうち他方には、前記シール部材が前記第一方向に圧縮された状態で前記貫通孔および前記開口部に挿入される軸部が設けられる。
【０００７】
また、前記第二壁には、互いに間隔をあけて複数の前記開口部が設けられ、前記第三部材は、前記開口部のそれぞれに対応して設けられた複数の前記軸部と、前記軸部のそれぞれと接続され前記第二壁を前記収容部とは反対側から覆う第五壁と、を有している。
【０００８】
また、前記第三部材は、前記第五壁の前記軸部とずれた位置に設けられ、前記第二壁に前記収容部とは反対側から着脱可能に係合されるフック部を有している。
【０００９】
また、前記軸部には、前記第一方向の反対方向に向けて開放され、前記シール部材の反力によって前記第四壁と係合される凹部が設けられる。
【００１０】
また、前記凹部に前記第四壁が係合された状態で、前記第四壁と前記第一壁との間に前記第一方向の隙間が設けられる。
【００１１】
また、前記第二壁は、当該第二壁から突出し、前記開口部の少なくとも一部が設けられた突出部を有している。
【発明の効果】
【００１２】
本発明の上記態様によれば、より不都合が少なくなるよう改善された新規な構成の電子機器の筐体を得ることができる。
【図面の簡単な説明】
【００１３】
【図１】図１は、実施形態の電子機器の例示的な斜視図である。
【図２】図２は、実施形態の電子機器の筐体における第三部材の例示的な分解斜視図である。
【図３】図３は、実施形態の電子機器の筐体における第一部材および第二部材の例示的な分解斜視図である。
【図４】図４は、実施形態の電子機器の筐体の第三部材の例示的な斜視図である。
【図５】図５は、図４の軸部の拡大図である。
【図６】図６は、実施形態の電子機器の筐体の第三部材の例示的な斜視図であって、図４とは異なる角度から見た図である。
【図７】図７は、図６の軸部の拡大図である。
【図８】図８は、図３の一部の拡大図である。
【図９】図９は、実施形態の電子機器の筐体の第四壁の例示的な平面図であって、シール部材が圧縮される前の状態の図である。
【図１０】図１０は、実施形態の電子機器の筐体の第四壁の例示的な平面図であって、シール部材が圧縮された状態の図である。
【図１１】図１１は、実施形態の電気機器の筐体の第三部材の組付方法を説明する例示的なＸＺ断面図である。
【図１２】図１２は、実施形態の電子機器の筐体の第三部材の組付方法を説明する例示的なＸＺ断面図であって、図１１の状態よりも後の状態を示した図である。
【図１３】図１３は、実施形態の電子機器の筐体の第三部材の組付方法を説明する例示的なＸＺ断面図であって、図１２の状態よりも後の状態を示した図である。
【図１４】図１４は、変形例の電子機器の例示的な斜視図（一部断面図）である。
【図１５】図１５は、変形例の電子機器の第三部材の例示的な斜視図である。
【図１６】図１６は、図１５のフック部近傍の拡大図である。
【図１７】図１７は、変形例の電子機器の筐体における第一部材の例示的な斜視図である。
【図１８】図１８は、図１７の一部の拡大図である。
【図１９】図１９は、図１８のＹＺ断面図であって、第二壁にフック部が係合された状態の図である。
【図２０】図２０は、図１８のＸＺ断面図であって、第二壁にフック部が係合された状態の図である。
【発明を実施するための形態】
【００１４】
以下、本発明の例示的な実施形態および変形例が開示される。以下に示される実施形態および変形例の構成、ならびに当該構成によってもたらされる作用および効果は、一例である。本発明は、以下の実施形態および変形例に開示される構成以外によっても実現可能である。また、本発明によれば、構成によって得られる種々の効果（派生的な効果も含む）のうち少なくとも一つを得ることが可能である。
【００１５】
また、以下に開示される実施形態および変形例には、同様の構成要素が含まれる。よって、以下では、それら同様の構成要素には共通の符号が付与されるとともに、重複する説明が省略される。なお、本明細書では、序数は、部品や、部材、部位、位置、方向等を区別するためだけに用いられており、順番や優先度を示すものではない。
【００１６】
［実施形態］
図１は、電子機器１の斜視図である。図１に示されるように、電子機器１は、例えば、タブレット型のパーソナルコンピュータとして構成されている。電子機器１は、筐体２と、ディスプレイユニット３と、電気部品４（図３参照）と、を備えている。なお、電子機器１は、この例には限定されず、例えば、スマートフォンや、携帯電話、ゲーム機等であってもよい。電子機器１は、携帯型情報機器等とも称される。
【００１７】
以下の説明では、便宜上、互いに直交する三方向が定義されている。Ｘ方向は、筐体２の厚さ（前後方向）に沿い、Ｙ方向は、筐体２の横幅（左右方向、長手方向）に沿い、Ｚ方向は、筐体２の縦幅（上下方向、短手方向）に沿う。また、以下の説明では、Ｘ方向は前方、Ｘ方向の反対方向は後方とも称され、Ｙ方向は左方、Ｙ方向の反対方向は右方とも称され、Ｚ方向は上方、Ｚ方向の反対方向は下方とも称される場合がある。Ｘ方向は、第一方向の一例であり、Ｙ方向およびＺ方向は、交差方向の一例である。
【００１８】
筐体２は、例えば、ディスプレイユニット３の表示画面３ａが露出する前面２ａ１と、前面２ａ１とは反対側を向いた後面２ｂ１と、を有する。ディスプレイユニット３は、表示画面３ａが前方から視認可能な状態に、筐体２に支持されている。また、前面２ａ１の一部および表示画面３ａは、タッチパネル５の透明部によって覆われている。
【００１９】
電気部品４（図３参照）は、筐体２に収容されている。電気部品４は、例えば、基板や、電池等である。基板には、ＣＰＵ（Central  Processing  Unit）や、ＲＯＭ（Read  Only  Memory）、ＲＡＭ（Random  Access  Memory）等の複数の電子部品が実装されている。基板内の配線とこれら複数の電子部品とによって、電子機器１の制御回路の少なくとも一部が構成されている。
【００２０】
図１に示されるように、筐体２は、例えば、Ｘ方向に扁平な直方体状の箱型に構成されている。筐体２は、前壁２ａや、後壁２ｂ、左壁２ｃ、上壁２ｄ、右壁２ｅ、下壁２ｆ等の複数の壁部を有している。左壁２ｃ、上壁２ｄ、右壁２ｅ、および下壁２ｆは、側壁や、周壁、立壁等とも称される。
【００２１】
前壁２ａおよび後壁２ｂは、いずれも、Ｘ方向と直交する方向（ＹＺ平面）に沿って延びており、Ｘ方向に間隔をあけて互いに平行に設けられている。前壁２ａは、前面２ａ１を含み、後壁２ｂは、後面２ｂ１を含む。前壁２ａは、四角形状の枠状に構成され、後壁２ｂは、四角形状の板状に構成されている。
【００２２】
左壁２ｃおよび右壁２ｅは、いずれも、Ｙ方向と直交する方向（ＸＺ平面）に沿って延びており、Ｙ方向に間隔をあけて互いに平行に設けられている。左壁２ｃは、前壁２ａおよび後壁２ｂのＹ方向の端部の間に亘り、右壁２ｅは、前壁２ａおよび後壁２ｂのＹ方向の反対方向の端部の間に亘っている。左壁２ｃは、筐体２の左端部を構成し、右壁２ｅは、筐体２の右端部を構成している。
【００２３】
上壁２ｄおよび下壁２ｆは、いずれも、Ｚ方向と直交する方向（ＸＹ平面）に沿って延びており、Ｚ方向に間隔をあけて互いに平行に設けられている。上壁２ｄは、前壁２ａおよび後壁２ｂのＺ方向の端部の間に亘り、下壁２ｆは、前壁２ａおよび後壁２ｂのＺ方向の反対方向の端部の間に亘っている。上壁２ｄは、筐体２の上端部を構成し、下壁２ｆは、筐体２の下端部を構成している。
【００２４】
また、筐体２には、四つの角部２ｈ〜２ｋが設けられている。角部２ｈは、左壁２ｃと上壁２ｄとの交差部によって構成され、角部２ｉは、上壁２ｄと右壁ｅとの交差部によって構成されている。また、角部２ｊは、右壁２ｅと下壁２ｆとの交差部によって構成され、角部２ｋは、下壁２ｆと左壁２ｃとの交差部によって構成されている。各角部２ｈ〜２ｋは、角丸（角Ｒ）状に構成されている。
【００２５】
図２は、電子機器１の筐体２におけるサイドカバー２３の分解斜視図である。図３は、電子機器１の筐体２におけるリヤカバー２１およびフロントカバー２２の分解斜視図である。図２，３に示されるように、筐体２は、複数の部品（分割体）が組み合わせられて構成されている。具体的には、筐体２は、例えば、リヤカバー２１と、フロントカバー２２と、サイドカバー２３と、を有している。
【００２６】
図３に示されるように、リヤカバー２１は、少なくとも、後壁２ｂと、左壁２ｃ、上壁２ｄ、右壁２ｅ、および下壁２ｆのそれぞれの一部を構成する複数の内壁２１ａと、を有している。リヤカバー２１には、これら後壁２ｂおよび内壁２１ａによって囲まれ、Ｘ方向に開放された収容部２ｒが設けられている。リヤカバー２１は、第一部材の一例である。また、後壁２ｂは、第一壁の一例であり、内壁２１ａは、第二壁の一例である。
【００２７】
また、四つの内壁２１ａには、それぞれ互いに間隔をあけて複数の開口部２１ｂが設けられている。開口部２１ｂ（図１１参照）は、例えば、内壁２１ａの収容部２ｒとは反対側、すなわち収容部２ｒの外側に向けて開放された凹部である。各開口部２１ｂには、後述するサイドカバー２３の係合ピン２３ｂが挿入される。
【００２８】
また、内壁２１ａには、それぞれ開口部２１ｂに対応して複数の突出部２１ｄが設けられている。突出部２１ｄは、例えば、内壁２１ａから収容部２ｒの内側および外側に突出している。言い換えると、突出部２１ｄは、内壁２１ａをＺ方向またはＹ方向に貫通した状態に設けられている。突出部２１ｄには、開口部２１ｂの少なくとも一部が形成されている。突出部２１ｄは、筒部や、ポケット部等とも称される。
【００２９】
図３に示されるように、フロントカバー２２は、少なくとも、前壁２ａと、左壁２ｃ、上壁２ｄ、右壁２ｅ、および下壁２ｆのそれぞれの一部を構成する複数の中壁２２ａと、を有している。フロントカバー２２は、収容部２ｒに電気部品４が収容された状態で、収容部２ｒの少なくとも一部をＸ方向から覆う。このとき、中壁２２ａは、内壁２１ａのそれぞれの外側に重ねられている。フロントカバー２２は、第二部材の一例である。また、前壁２ａは、第三壁の一例であり、中壁２２ａは、第四壁の一例である。
【００３０】
また、フロントカバー２２には、リヤカバー２１の開口部２１ｂに対応して複数の中壁２２ａが設けられている。各中壁２２ａには、当該中壁２２ａをＹ方向またはＺ方向に貫通し、開口部２１ｂと重なる貫通孔２２ｂが設けられている。言い換えると、互いに隣接した二つの貫通孔２２ｂの間には、中壁２２ａを切り欠いた切欠部（肉抜部）が設けられている。これにより、フロントカバー２２ひいては筐体２の軽量化が図られている。中壁２２ａは、取付片や、リブ等とも称される。
【００３１】
図２に示されるように、サイドカバー２３は、少なくとも、左壁２ｃ、上壁２ｄ、右壁２ｅ、および下壁２ｆのそれぞれの一部を構成する外壁２３ａを有している。本実施形態では、サイドカバー２３は、左壁２ｃ、上壁２ｄ、右壁２ｅ、および下壁２ｆに対応して四つの部品（分割体）に分割されている。各サイドカバー２３は、内壁２１ａおよび中壁２２ａを外側から覆う。サイドカバー２３は、第三部材の一例であり、外壁２３ａは、第五壁の一例である。
【００３２】
図４は、サイドカバー２３の斜視図であり、図５は、図４の係合ピン２３ｂの拡大図である。図６は、サイドカバー２３の斜視図であって、図４とは異なる角度から見た図であり、図７は、図６の係合ピン２３ｂの拡大図である。図４〜７に示されるように、サイドカバー２３には、上述した貫通孔２２ｂおよび開口部２１ｂに対応して複数の係合ピン２３ｂが設けられている。
【００３３】
係合ピン２３ｂは、それぞれ外壁２３ａから突出し、外壁２３ａの長手方向（Ｙ方向またはＺ方向）に互いに間隔をあけて並んでいる。係合ピン２３ｂは、例えば、貫通孔２２ｂおよび開口部２１ｂの縁部（図９，１０参照）に沿った円筒状に構成されている。なお、係合ピン２３ｂの形状は、この例には限定されず、例えば、円柱状等であってもよい。また、係合ピン２３ｂの数は、一〜四つや、六つ以上であってもよい。
【００３４】
本実施形態では、係合ピン２３ｂ（図１１参照）は、貫通孔２２ｂおよび開口部２１ｂに収容部２ｒの外側から係合あるいは嵌合される。これにより、フロントカバー２２のリヤカバー２１に対するＸ方向への移動が制限され、後述するシール部材７の圧縮状態が保持される。係合ピン２３ｂは、軸部の一例である。サイドカバー２３は、固定部材や、止め部材等とも称される。
【００３５】
また、図４に示されるように、サイドカバー２３の長手方向の両端部には、筐体２の角部２ｈ〜２ｋに沿って湾曲した曲部２３ａ１が設けられている。図２にも示されるように、本実施形態では、互いに隣接した二つのサイドカバー２３の曲部２３ａ１同士が係合すること等によって、複数のサイドカバー２３が互いに一体化されている。
【００３６】
また、図６，７に示されるように、係合ピン２３ｂには、凹部２３ｃが設けられている。凹部２３ｃは、係合ピン２３ｂの根元部分に設けられ、外壁２３ａと隣接（近接）している。凹部２３ｃは、サイドカバー２３の組付状態（図１３参照）では、Ｘ方向に凹み、Ｘ方向の反対方向に向けて開放されている。凹部２３ｃには、後述するシール部材７の反力によって中壁２２ａの貫通孔２２ｂの周縁部が係合される。
【００３７】
図８は、図３のリヤカバー２１およびフロントカバー２２における角部２ｊの近傍の拡大図である。図９は、中壁２２ａの平面図であって、シール部材７が圧縮される前の状態の図である。図１０は、中壁２２ａの平面図であって、シール部材７が圧縮された状態の図である。
【００３８】
図８に示されるように、内壁２１ａのＸ方向の端面２１ｃには、シール部材７が設けられている。シール部材７は、例えば、ＣＩＰＧ（Cured-In-Place  Gasket）等によって構成されている。ＣＩＰＧは、液状のガスケットを端面２１ｃに塗布し、その後ガスケットを化学反応により硬化させたものである。なお、シール部材７は、この例には限定されず、例えば、ゴムパッキン等によって構成されてもよい。
【００３９】
シール部材７は、例えば、四つの内壁２１ａに沿った四角形状の枠状に構成されている。本実施形態では、フロントカバー２２がシール部材７を介してリヤカバー２１と結合されることにより、筐体２が全周に亘ってシールされる。これにより、筐体２の内部への水滴や、塵芥等の侵入が抑制される。なお、シール部材７は、この例には限定されず、例えば、端面２１ｃと前壁２ａとの間に部分的に設けられもよい。
【００４０】
図８，９に示されるように、シール部材７は、自由状態Ｓ０では、リヤカバー２１よりもＸ方向に突出している。なお、図９では、シール部材７上に支持されたフロントカバー２２やディスプレイユニット３等の重さによって、シール部材７はＸ方向に僅かに圧縮されうる。また、この状態では、貫通孔２２ｂの中心が開口部２１ｂの中心に対してＸ方向に僅かにオフセットしている。
【００４１】
そして、本実施形態では、作業者がフロントカバー２２をリヤカバー２１側に押し付けシール部材７をＸ方向に圧縮させた第一状態Ｓ１（図１１参照）で、貫通孔２２ｂの中心と開口部２１ｂの中心とが重なるよう構成されている。第一状態Ｓ１では、図１０にも示されるように、リヤカバー２１とフロントカバー２２とが互いに当接し、シール部材７は筐体２の内側に隠れている。
【００４２】
図１１は、サイドカバー２３の組付方法を説明するＸＺ断面図である。図１２は、サイドカバー２３の組付方法を説明するＸＺ断面図であって、図１１の状態よりも後の状態を示した図である。図１３は、サイドカバー２３の組付方法を説明するＸＺ断面図であって、図１２の状態よりも後の状態を示した図である。
【００４３】
サイドカバー２３を組み付ける場合、まず、図１１に示されるように、シール部材７を第一状態Ｓ１となるようＸ方向に圧縮し、貫通孔２２ｂおよび開口部２１ｂを位置合わせする。そして、互いに位置合わせされて重なった貫通孔２２ｂおよび開口部２１ｂ内に係合ピン２３ｂを挿入する。
【００４４】
次に、図１２に示されるように、係合ピン２３ｂの根元部分（凹部２３ｃ）と中壁２２ａとがＸ方向に並ぶように係合ピン２３ｂを開口部２１ｂの奥側まで挿入する。これにより、図１３に示されるように、前壁２ａ（中壁２２ａ）がシール部材７の反力によってＸ方向に押し上げられ、凹部２３ｃに中壁２２ａの貫通孔２２ｂの周縁部が係合される。
【００４５】
図１３の状態では、凹部２３ｃの側面と中壁２２ａとの当接によって、サイドカバー２３のフロントカバー２２に対するＺ方向またはＹ方向（交差方向）に沿った移動が制限される。これにより、係合ピン２３ｂが開口部２１ｂおよび貫通孔２２ｂから抜けるのが抑制される。
【００４６】
また、図１３の状態では、シール部材７は、係合ピン２３ｂと貫通孔２２ｂおよび開口部２１ｂとの係合によって、第一状態Ｓ１よりも圧縮量の少ない第二状態Ｓ２で保持される。これにより、シール部材７よるリヤカバー２１とフロントカバー２２との間のシール性が確保される。
【００４７】
また、図１３の状態では、中壁２２ａが後壁２ｂからＸ方向に離間し、中壁２２ａと後壁２ｂとの間に隙間Ｇが設けられている。したがって、サイドカバー２３を取り外す場合には、隙間Ｇの高さ分フロントカバー２２をリヤカバー２１に対してＸ方向の反対方向に移動させること等によって、凹部２３ｃと中壁２２ａとの係合を容易に解除することができる。
【００４８】
以上のように、本実施形態では、筐体２は、後壁２ｂ（第一壁）および内壁２１ａ（第二壁）に囲まれＸ方向（第一方向）に開放された収容部２ｒが設けられたリヤカバー２１（第一部材）と、収容部２ｒの少なくとも一部をＸ方向から覆う前壁２ａ（第三壁）および前壁２ａからＸ方向の反対方向に突出しＹ方向またはＺ方向（交差方向）に貫通する貫通孔２２ｂが設けられた中壁２２ａ（第四壁）を有したフロントカバー２２（第二部材）と、内壁２１ａのＸ方向の端面２１ｃと前壁２ａとの間に介在されたシール部材７と、サイドカバー２３（第三部材）と、を備え、内壁２１ａ（一方）には、貫通孔２２ｂとＹ方向またはＺ方向に重なる開口部２１ｂが設けられ、サイドカバー２３（他方）には、シール部材７がＸ方向に圧縮された第一状態Ｓ１で貫通孔２２ｂおよび開口部２１ｂに挿入される係合ピン２３ｂ（軸部）が設けられる。
【００４９】
このような構成によれば、例えば、係合ピン２３ｂと貫通孔２２ｂおよび開口部２１ｂとの係合による比較的簡素な構成によって、シール部材７の圧縮状態を保持してリヤカバー２１とフロントカバー２２との間のシール性を確保することができる。また、例えば、第三部材としてのサイドカバー２３がリヤカバー２１およびフロントカバー２２をＸ方向の両側から挟持する従来構造と比べて、第三部材がより小型に構成されやすい。よって、例えば、筐体２がより小型にあるいはより軽量に構成されやすい場合がある。なお、第三部材は、サイドカバー２３には限定されず、例えば、開口部２１ｂの内面に設けられた雌ネジ部と結合可能な雄ネジ部が設けられたネジ部材等であってもよい。
【００５０】
また、本実施形態では、内壁２１ａには、互いに間隔をあけて複数の開口部２１ｂが設けられ、サイドカバー２３は、開口部２１ｂのそれぞれに対応して設けられた複数の係合ピン２３ｂと、係合ピン２３ｂのそれぞれと接続され内壁２１ａを収容部２ｒとは反対側から覆う外壁２３ａ（第五壁）と、を有している。
【００５１】
このような構成によれば、例えば、複数の係合ピン２３ｂと外壁２３ａとを一体に有したサイドカバー２３を利用することにより、筐体２の組み立てやメンテナンス（分解）等の作業性が向上しやすい。
【００５２】
また、本実施形態では、係合ピン２３ｂには、Ｘ方向の反対方向に向けて開放され、シール部材７の反力によって中壁２２ａと係合される凹部２３ｃが設けられている。
【００５３】
このような構成によれば、例えば、凹部２３ｃと中壁２２ａとの係合によって、サイドカバー２３のフロントカバー２２に対するＺ方向またはＹ方向（交差方向）に沿った移動が制限され、ひいては係合ピン２３ｂが開口部２１ｂおよび貫通孔２２ｂから抜けるのを抑制できる。
【００５４】
また、本実施形態では、凹部２３ｃに中壁２２ａが係合された状態で、中壁２２ａと後壁２ｂとの間にＸ方向の隙間Ｇが設けられている。
【００５５】
このような構成によれば、例えば、サイドカバー２３を取り外す場合に、隙間Ｇの高さ分フロントカバー２２をリヤカバー２１に対してＸ方向の反対方向に移動させること等によって、凹部２３ｃと中壁２２ａとの係合を容易に解除することができる。
【００５６】
また、本実施形態では、内壁２１ａは、当該内壁２１ａから突出し、開口部２１ｂの少なくとも一部が設けられた突出部２１ｄを有している。
【００５７】
このような構成によれば、例えば、突出部２１ｄによって、開口部２１ｂと係合ピン２３ｂとの接触面積が増大しやすく、ひいては係合ピン２３ｂのがたつきや変形等が抑制されやすい。
【００５８】
［変形例］
図１４は、変形例の電子機器１Ａの斜視図（一部断面図）である。図１５は、電子機器１Ａのサイドカバー２３Ａの斜視図である。図１６は、図１５のフック部２３ｅ近傍の拡大図である。電子機器１Ａは、上記実施形態の電子機器１と同様の構成を備えている。よって、電子機器１Ａは、当該同様の構成に基づく上記実施形態と同様の作用および効果を得ることができる。
【００５９】
ただし、本変形例では、図１４〜１６に示されるように、サイドカバー２３Ａに複数のフック部２３ｅが設けられている点が、上記実施形態と相違している。フック部２３ｅは、例えば、外壁２３ａの係合ピン２３ｂを間に挟んだ長手方向（Ｙ方向またはＺ方向）の両側に互いに間隔をあけて設けられている。
【００６０】
図１６に示されるように、フック部２３ｅは、それぞれ、突出部２３ｅ１と、爪部２３ｅ２と、を有している。突出部２３ｅ１は、外壁２３ａから内壁２１ａ（図１７参照）に向かって突出している。突出部２３ｅ１の突出量（高さ）は、例えば、係合ピン２３ｂの突出量と略同じである。
【００６１】
爪部２３ｅ２は、それぞれ、突出部２３ｅ１の外壁２３ａとは反対側の端部、すなわち外壁２３ａとは離れた位置から、互いに近づく方向に突出している。爪部２３ｅ２は、後述する内壁２１ａに設けられた凹部２１ｅ（図１７，１８参照）に収容部２ｒとは反対側、すなわち収容部２ｒの外側から係合可能に構成されている。
【００６２】
図１７は、電子機器１Ａの筐体２におけるリヤカバー２１Ａの斜視図である。図１８は、図１７の凹部２１ｅの近傍の拡大図である。図１９は、図１８のＹＺ断面図であって、内壁２１ａにフック部２３ｅが係合された状態の図である。図２０は、図１８のＸＺ断面図であって、内壁２１ａにフック部２３ｅが係合された状態の図である。
【００６３】
図１７，１８に示されるように、凹部２１ｅは、フック部２３ｅに対応して内壁２１ａの開口部２１ｂを間に挟んだＹ方向またはＺ方向の両側に設けられている。凹部２１ｅは、例えば、フック部２３ｅの突出部２３ｅ１（図１９参照）が収容される第一部分２１ｅ１と、爪部２３ｅ２が収容される第二部分２１ｅ２と、を含む。第二部分２１ｅ２は、第一部分２１ｅ１よりも開口部２１ｂの近くに位置されている。
【００６４】
そして、図２０にも示されるように、第二部分２１ｅ２には、爪部２３ｅ２と面する引掛面２１ｅ３が設けられている。本変形例では、サイドカバー２３とリヤカバー２１Ａとは、爪部２３ｅ２と引掛面２１ｅ３との係合による所謂スナップフィットによって互いに結合される。これにより、シール部材７の第一状態Ｓ１（圧縮状態）を保持する係合ピン２３ｂの抜けが抑制されている。
【００６５】
このように、本変形例では、サイドカバー２３は、外壁２３ａの係合ピン２３ｂとずれた位置に設けられ、内壁２１ａに収容部２ｒとは反対側から着脱可能に係合されるフック部２３ｅを有している。
【００６６】
このような構成によれば、例えば、内壁２１ａの引掛面２１ｅ３とフック部２３ｅとの係合によって、サイドカバー２３のリヤカバー２１Ａおよびフロントカバー２２に対するＺ方向またはＹ方向に沿った移動が制限され、ひいては係合ピン２３ｂが開口部２１ｂおよび貫通孔２２ｂから抜けるのを抑制できる。また、例えば、フック部２３ｅによって、サイドカバー２３の組付作業や分解作業等がより容易に行われやすい。
【００６７】
以上、本発明の実施形態および変形例が例示されたが、上記実施形態および変形例は一例であって、発明の範囲を限定することは意図していない。上記実施形態および変形例は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００６８】
１，１Ａ…電子機器、２…筐体、２ａ…前壁（第三壁）、２ｂ…後壁（第一壁）、２ｒ…収容部、７…シール部材、２１…リヤカバー（第一部材）、２１ａ…内壁（第二壁）、２１ｂ…開口部、２１ｃ…端面、２１ｄ…突出部、２２…フロントカバー（第二部材）、２２ａ…中壁（第四壁）、２２ｂ…貫通孔、２３…サイドカバー（第三部材）、２３ａ…外壁（第五壁）、２３ｂ…係合ピン（軸部）、２３ｃ…凹部、２３ｅ…フック部、Ｇ…隙間、Ｘ…第一方向、Ｙ，Ｚ…交差方向。
【図１】
2020135752.tif 000003
【図２】
2020135752.tif 000004
【図３】
2020135752.tif 000005
【図４】
2020135752.tif 000006
【図５】
2020135752.tif 000007
【図６】
2020135752.tif 000008
【図７】
2020135752.tif 000009
【図８】
2020135752.tif 000010
【図９】
2020135752.tif 000011
【図１０】
2020135752.tif 000012
【図１１】
2020135752.tif 000013
【図１２】
2020135752.tif 000014
【図１３】
2020135752.tif 000015
【図１４】
2020135752.tif 000016
【図１５】
2020135752.tif 000017
【図１６】
2020135752.tif 000018
【図１７】
2020135752.tif 000019
【図１８】
2020135752.tif 000020
【図１９】
2020135752.tif 000021
【図２０】
2020135752.tif 000022
【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
第一壁と、前記第一壁から当該第一壁と交差した第一方向に突出した第二壁と、を有し、前記第一壁および前記第二壁に囲まれ前記第一方向に開放された収容部が設けられた第一部材と、
前記収容部の少なくとも一部を前記第一方向から覆う第三壁と、前記第三壁から前記第一方向の反対方向に突出し前記第一方向と交差した交差方向に貫通する貫通孔が設けられた第四壁と、を有した第二部材と、
前記第二壁の前記第一方向の端面と前記第三壁との間に介在されたシール部材と、
第三部材と、
を備え、
前記第二壁には、互いに間隔をあけて設けられるとともに、前記貫通孔と前記交差方向に重なる複数の開口部が設けられ、
前記第三部材には、前記開口部のそれぞれに対応して設けられ、前記シール部材が前記第一方向に圧縮された状態で前記貫通孔および前記開口部に挿入される、複数の軸部と、前記軸部のそれぞれと接続され前記第二壁を前記収容部とは反対側から覆う第五壁と、が設けられ、
前記軸部には、前記第一方向の反対方向に向けて開放され、前記シール部材の反力によって前記第四壁と係合される凹部が設けられた、
電子機器の筐体。
【請求項２】
第一壁と、前記第一壁から当該第一壁と交差した第一方向に突出した第二壁と、を有し、前記第一壁および前記第二壁に囲まれ前記第一方向に開放された収容部が設けられた第一部材と、
前記収容部の少なくとも一部を前記第一方向から覆う第三壁と、前記第三壁から前記第一方向の反対方向に突出し前記第一方向と交差した交差方向に貫通する貫通孔が設けられた第四壁と、を有した第二部材と、
前記第二壁の前記第一方向の端面と前記第三壁との間に介在されたシール部材と、
第三部材と、
を備え、
前記第二壁には、前記貫通孔と前記交差方向に重なる開口部が設けられ、
前記第三部材には、前記シール部材が前記第一方向に圧縮された状態で前記貫通孔および前記開口部に挿入される軸部が設けられた、
電子機器の筐体。
【請求項３】
前記第二壁には、互いに間隔をあけて複数の前記開口部が設けられ、
前記第三部材は、前記開口部のそれぞれに対応して設けられた複数の前記軸部と、前記軸部のそれぞれと接続され前記第二壁を前記収容部とは反対側から覆う第五壁と、を有した、請求項２に記載の電子機器の筐体。
【請求項４】
前記第三部材は、前記第五壁の前記軸部とずれた位置に設けられ、前記第二壁に前記収容部とは反対側から着脱可能に係合されるフック部を有した、請求項１または３に記載の電子機器の筐体。
【請求項５】
前記軸部には、前記第一方向の反対方向に向けて開放され、前記シール部材の反力によって前記第四壁と係合される凹部が設けられた、請求項３に記載の電子機器の筐体。
【請求項６】
前記凹部に前記第四壁が係合された状態で、前記第四壁と前記第一壁との間に前記第一方向の隙間が設けられた、請求項１または５に記載の電子機器の筐体。
【請求項７】
前記第二壁は、当該第二壁から突出し、前記開口部の少なくとも一部が設けられた突出部を有した、請求項１〜６のうちいずれか一つに記載の電子機器の筐体。
【手続補正２】
【補正対象書類名】明細書
【補正対象項目名】０００６
【補正方法】変更
【補正の内容】
【０００６】
本発明の第一態様にかかる電子機器の筐体は、第一壁と、前記第一壁から当該第一壁と交差した第一方向に突出した第二壁と、を有し、前記第一壁および前記第二壁に囲まれ前記第一方向に開放された収容部が設けられた第一部材と、前記収容部の少なくとも一部を前記第一方向から覆う第三壁と、前記第三壁から前記第一方向の反対方向に突出し前記第一方向と交差した交差方向に貫通する貫通孔が設けられた第四壁と、を有した第二部材と、前記第二壁の前記第一方向の端面と前記第三壁との間に介在されたシール部材と、第三部材と、を備え、前記第二壁には、互いに間隔をあけて設けられるとともに、前記貫通孔と前記交差方向に重なる複数の開口部が設けられ、前記第三部材には、前記開口部のそれぞれに対応して設けられ、前記シール部材が前記第一方向に圧縮された状態で前記貫通孔および前記開口部に挿入される、複数の軸部と、前記軸部のそれぞれと接続され前記第二壁を前記収容部とは反対側から覆う第五壁と、が設けられ、前記軸部には、前記第一方向の反対方向に向けて開放され、前記シール部材の反力によって前記第四壁と係合される凹部が設けられる。
本発明の第二態様にかかる電子機器の筐体は、第一壁と、前記第一壁から当該第一壁と交差した第一方向に突出した第二壁と、を有し、前記第一壁および前記第二壁に囲まれ前記第一方向に開放された収容部が設けられた第一部材と、前記収容部の少なくとも一部を前記第一方向から覆う第三壁と、前記第三壁から前記第一方向の反対方向に突出し前記第一方向と交差した交差方向に貫通する貫通孔が設けられた第四壁と、を有した第二部材と、前記第二壁の前記第一方向の端面と前記第三壁との間に介在されたシール部材と、第三部材と、を備え、前記第二壁には、前記貫通孔と前記交差方向に重なる開口部が設けられ、前記第三部材には、前記シール部材が前記第一方向に圧縮された状態で前記貫通孔および前記開口部に挿入される軸部が設けられる。
【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
第一壁と、前記第一壁から当該第一壁と交差した第一方向に突出した第二壁と、を有し、前記第一壁および前記第二壁に囲まれ前記第一方向に開放された収容部が設けられた第一部材と、
前記収容部の少なくとも一部を前記第一方向から覆う第三壁と、前記第三壁から前記第一方向の反対方向に突出し前記第一方向と交差した交差方向に貫通する貫通孔が設けられた第四壁と、を有した第二部材と、
前記第二壁の前記第一方向の端面と前記第三壁との間に介在されたシール部材と、
第三部材と、
を備え、
前記第二壁には、互いに間隔をあけて設けられるとともに、前記貫通孔と前記交差方向に重なる複数の開口部が設けられ、
前記第三部材には、前記開口部のそれぞれに対応して設けられ、前記シール部材が前記第一方向に圧縮された状態で前記貫通孔および前記開口部に挿入される、複数の軸部と、
前記軸部のそれぞれと接続され前記第二壁を前記収容部とは反対側から覆う第五壁と、が設けられ、
前記軸部には、前記第一方向の反対方向に向けて開放され、前記シール部材の反力によって前記第四壁と係合される凹部が設けられた、
電子機器の筐体。
【請求項２】
前記第三部材は、前記第五壁の前記軸部とずれた位置に設けられ、前記第二壁に前記収容部とは反対側から着脱可能に係合されるフック部を有した、請求項１に記載の電子機器の筐体。
【請求項３】
前記凹部に前記第四壁が係合された状態で、前記第四壁と前記第一壁との間に前記第一方向の隙間が設けられた、請求項１に記載の電子機器の筐体。
【請求項４】
前記第二壁は、当該第二壁から突出し、前記開口部の少なくとも一部が設けられた突出部を有した、請求項１〜３のうちいずれか一つに記載の電子機器の筐体。
【手続補正２】
【補正対象書類名】明細書
【補正対象項目名】０００６
【補正方法】変更
【補正の内容】
【０００６】
本発明の第一態様にかかる電子機器の筐体は、第一壁と、前記第一壁から当該第一壁と交差した第一方向に突出した第二壁と、を有し、前記第一壁および前記第二壁に囲まれ前記第一方向に開放された収容部が設けられた第一部材と、前記収容部の少なくとも一部を前記第一方向から覆う第三壁と、前記第三壁から前記第一方向の反対方向に突出し前記第一方向と交差した交差方向に貫通する貫通孔が設けられた第四壁と、を有した第二部材と、前記第二壁の前記第一方向の端面と前記第三壁との間に介在されたシール部材と、第三部材と、を備え、前記第二壁には、互いに間隔をあけて設けられるとともに、前記貫通孔と前記交差方向に重なる複数の開口部が設けられ、前記第三部材には、前記開口部のそれぞれに対応して設けられ、前記シール部材が前記第一方向に圧縮された状態で前記貫通孔および前記開口部に挿入される、複数の軸部と、前記軸部のそれぞれと接続され前記第二壁を前記収容部とは反対側から覆う第五壁と、が設けられ、前記軸部には、前記第一方向の反対方向に向けて開放され、前記シール部材の反力によって前記第四壁と係合される凹部が設けられる。